(57)【要約】【課題】表示部が非駆動状態のときに、複数の色からなる模様や文字を表示部に表示させることが可能な表示装置を提供する。【解決手段】この表示装置は、光反射領域と光透過領域とを含む複数の画素２０が配置される表示部２と、画素２０に設けられるカラーフィルタ４３ａ、４３ｂおよび４３ｃとを備え、表示部２が非駆動状態で表示部２に模様または文字の少なくとも一方が表示されるとともに、模様または文字の少なくとも一方に対応する画素２０の光反射領域に設けられるカラーフィルタには、複数の色のカラーフィルタ４３ｂおよび４３ｃが含まれている。【選択図】図２
2009128467.tif 000002
【特許請求の範囲】
【請求項１】
光反射領域と光透過領域とを含む複数の画素が配置される表示部と、
前記画素に設けられるカラーフィルタとを備え、
前記表示部が非駆動状態で前記表示部に模様または文字の少なくとも一方が表示される
とともに、前記模様または文字の少なくとも一方に対応する前記画素の光反射領域に設け
られる前記カラーフィルタには、複数の色のカラーフィルタ部分が含まれている、表示装
置。
【請求項２】
前記光反射領域に設けられる前記複数の色のカラーフィルタ部分は、前記複数の色のカ
ラーフィルタ部分のそれぞれの面積を前記複数の画素ごとで異ならせることにより、前記
複数の画素ごとに表示される色に濃淡差を持たせるように構成されている、請求項１に記
載の表示装置。
【請求項３】
前記光反射領域内に前記複数の色のカラーフィルタ部分が隣接するように配置される画
素と、前記光反射領域に前記複数の色のカラーフィルタ部分が積層されている画素とを用
いて、前記表示部に、前記模様または文字の少なくとも一方と、前記模様または文字の少
なくとも一方の影部とを表示するように構成されている、請求項１に記載の表示装置。
【請求項４】
前記光反射領域に設けられる前記複数のカラーフィルタ部分は、赤、緑、青またはシア
ン、マゼンダ、イエローおよびその他の色のカラーフィルタ部分のうちの複数色の前記カ
ラーフィルタ部分を含む、請求項１〜３のいずれか1項に記載の表示装置。
【請求項５】
前記表示部に配置される前記複数の画素の各々の前記光反射領域と前記光透過領域とを
平面的に見た場合、前記光透過領域の面積は、前記光反射領域の面積よりも大きくなるよ
うに構成されている、請求項１に記載の表示装置。
【請求項６】
前記表示部に配置される前記複数の画素の各々に含まれる前記光透過領域を平面的に見
た場合、前記複数の画素の前記光透過領域の面積は、互いに略等しくなるように構成され
ている、請求項１に記載の表示装置。
【請求項７】
前記光反射領域を平面的に見た場合、前記光反射領域には、前記カラーフィルタ部分が
設けられない領域が含まれる、請求項１に記載の表示装置。
【発明の詳細な説明】
【技術分野】
【０００１】
本発明は、表示装置に関し、特に、表示部が非駆動状態のときに、表示部に文字または
模様を表示させる表示装置に関する。
【背景技術】
【０００２】
従来、表示部が非駆動状態のときに、表示部に文字または模様を表示させる表示装置が
知られている（たとえば、特許文献１参照）。上記特許文献１には、画像を表示するため
の表示部を有する表示パネルと、表示パネルに対向するように配置される前面パネルとを
備えた表示装置が開示されている。この表示装置では、前面パネルには、光を透過するか
または反射するかの状態を電力を加えずに維持することができるカイラルネマチック液晶
が含まれている。そして、前面パネルは、表示部が駆動状態の時には、前面パネルのカイ
ラルネマチック液晶を、光を透過するホメオトロピック状態にし、表示パネルの画面が観
察できるようになる。また、表示部が非駆動状態の時には、前面パネルのカイラルネマチ
ック液晶を、光を反射するプレナー状態にし、前面パネルから光が反射されるようにする
。なお、前面パネルには、部分的に透明樹脂を配置して、常時透明になる領域が設けられ
ている。これにより、たとえば、前面パネル上に表示したい文字の部分に透明樹脂を配置
するとともに、文字の背景の部分にカイラルネマチック液晶を配置することにより、表示
部が非駆動状態の時には、背景の色は、カイラルネマチック液晶から反射される光の色と
なり、透明樹脂からなる文字の色は、透明樹脂から透けて見える表示パネルの色（たとえ
ば灰色や黒色）となる。その結果、前面パネル上に、文字が表示される。
【０００３】
【特許文献１】特開２００４−２４５９７６号公報
【発明の開示】
【発明が解決しようとする課題】
【０００４】
しかしながら、上記特許文献１に記載の表示装置では、表示される文字の色は、透明樹
脂から透けて見える表示パネルの色（たとえば灰色や黒色）の単色であり、複数の色の文
字を表示できないという問題点がある。
【０００５】
この発明は、上記のような課題を解決するためになされたものであり、この発明の１つ
の目的は、表示部が非駆動状態のときに、複数の色からなる模様や文字を表示部に表示さ
せることが可能な表示装置を提供することである。
【課題を解決するための手段および発明の効果】
【０００６】
上記目的を達成するために、この発明の第１の局面における表示装置は、光反射領域と
光透過領域とを含む複数の画素が配置される表示部と、画素に設けられるカラーフィルタ
とを備え、表示部が非駆動状態で表示部に模様または文字の少なくとも一方が表示される
とともに、模様または文字の少なくとも一方に対応する画素の光反射領域に設けられるカ
ラーフィルタには、複数の色のカラーフィルタ部分が含まれている。
【０００７】
この第１の局面による表示装置では、上記のように、画素の光反射領域に設けられるカ
ラーフィルタには、複数の色のカラーフィルタ部分が含まれていることによって、表示部
が非駆動状態のときに、光反射領域から反射される光が複数の色のカラーフィルタ部分に
より混色するので、複数の色のカラーフィルタ部分の色の組み合わせを変えることにより
、複数の色からなる模様や文字を表示部に表示させることができる。
【０００８】
上記第１の局面による表示装置において、好ましくは、光反射領域に設けられる複数の
色のカラーフィルタ部分は、複数の色のカラーフィルタ部分のそれぞれの面積を複数の画
素で異ならせることにより、複数の画素に表示される色に濃淡差を持たせるように構成さ
れている。このように構成すれば、模様や文字の色に変化を持たせることができる。
【０００９】
この場合、好ましくは、光反射領域に設けられる複数の色のカラーフィルタ部分の面積
を、複数の画素ごとに徐々に変化させることにより、複数の画素ごとに表示される色の濃
淡が滑らかに変化するように構成されている。このように構成すれば、複数の画素間に表
示される色がグラデーションになるので、模様や文字の色をグラデーションにすることが
できる。
【００１０】
上記第１の局面による表示装置において、好ましくは、光反射領域内に複数の色のカラ
ーフィルタ部分が隣接するように配置される画素と、光反射領域に複数の色のカラーフィ
ルタ部分が積層されている画素とを用いて、表示部に、模様または文字の少なくとも一方
と、模様または文字の少なくとも一方の影部とを表示するように構成されている。このよ
うに構成すれば、模様または文字に隣接するように影部を表示することにより、模様また
は文字を浮き上がったように見せることができるので、立体的な文字を表示部に表示する
ことができる。
【００１１】
上記第１の局面による表示装置において、好ましくは、光反射領域に設けられる複数の
カラーフィルタ部分は、赤、緑、青または、シアン、マゼンダ、イエロー、ホワイト、ブ
ラックのカラーフィルタ部分のうちの複数色のカラーフィルタ部分を含む。このように構
成すれば、赤、緑、青または、シアン、マゼンダ、イエロー、ホワイト、ブラックのカラ
ーフィルタ部分を組み合わせることができるので、異なる色レジスト同士の減法混色と、
それを反射光として見る人間の加法混色により、様々な色を表示部に表示することができ
る。
【００１２】
上記第１の局面による表示装置において、好ましくは、表示部に配置される複数の画素
の各々の光反射領域と光透過領域とを平面的に見た場合、光透過領域の面積は、光反射領
域の面積よりも大きくなるように構成されている。このように構成すれば、光透過領域の
面積が光反射領域の面積よりも小さい場合と異なり、表示部が駆動状態のときに、表示部
に表示される模様や文字を明るく表示することができる。
【００１３】
上記第１の局面による表示装置において、好ましくは、表示部に配置される複数の画素
の各々に含まれる光透過領域を平面的に見た場合、複数の画素の光透過領域の面積は、互
いに略等しくなるように構成されている。このように構成すれば、画素の光透過領域から
透過する光の量が略等しくなるので、画素ごとに明るさが異なるのを抑制することができ
る。
【００１４】
上記第１の局面による表示装置において、好ましくは、光反射領域を平面的に見た場合
、光反射領域には、カラーフィルタ部分が設けられない領域が含まれる。このように構成
すれば、光反射領域の全面がカラーフィルタ部分によって覆われている場合と異なり、光
反射領域からの反射光の量が多くなるので、表示部が非駆動状態のときに、画素に表示さ
れる色が暗くなるのを抑制することができる。
【発明を実施するための最良の形態】
【００１５】
以下、本発明の実施形態を図面に基づいて説明する。
【００１６】
（第１実施形態）
図１は、本発明の第１実施形態による表示装置の平面図である。図２は、本発明の第１
実施形態による画素の平面図である。図３は、図２の１００−１００線に沿った断面図で
ある。図４は、本発明の第１実施形態による表示部に文字が表示された状態を示す図であ
る。まず、図１〜図４を参照して、本発明の第１実施形態による表示装置の構成について
説明する。
【００１７】
第１実施形態による表示装置は、図１に示すように、基板１上に、表示部２と、走査線
駆動回路３と、データ線駆動回路４とが配置されている。走査線駆動回路３は、表示部２
の一辺に沿うように、基板１上に配置されており、走査線駆動回路３からは、走査線５が
表示部２に接続されている。また、走査線駆動回路３は、配線６を介して接続端子７に接
続されている。また、データ線駆動回路４は、表示部２の他の辺に沿うように配置されて
おり、データ線駆動回路４からは表示部２にデータ線８が接続されている。また、データ
線駆動回路４は、配線９を介して接続端子７に接続されている。また、表示部２の走査線
５とデータ線８とが交差する位置には、画素２０がマトリクス状に配置されている。なお
、図１では、図面の簡略化のため、１つの画素２０のみを図示している。また、画素２０
は、図２に示すように、３つのサブピクセル２０ａを含んでいる。
【００１８】
また、図３に示すように、画素２０のガラス基板２１の表面上には、Ａｌからなるゲー
ト電極２２が形成されている。なお、ゲート電極２２は、走査線５（図１参照）に接続さ
れている。また、ゲート電極２２の表面上には、Ｍｏ層が２３が形成されている。また、
ガラス基板２１、ゲート電極２２およびＭｏ層２３の表面を覆うように、ＳｉＮからなる
ゲート絶縁膜２４が形成されている。また、ゲート電極２２およびＭｏ層２３の上方に形
成されるゲート絶縁膜２４の表面上には、アモルファスシリコン層とｎ型の不純物が注入
されたシリコン層とを積層することにより形成された能動層を構成するシリコン層２５が
形成されている。また、ゲート絶縁膜２４およびシリコン層２５の表面を覆うように、Ｍ
ｏ層、Ａｌ層およびＭｏ層が積層されたソース電極２６とドレイン電極２７とが形成され
ている。なお、ソース電極２６には、データ線８（図１参照）が接続されている。また、
ゲート電極２２、Ｍｏ層２３、ゲート絶縁膜２４、シリコン層２５、ソース電極２６およ
びドレイン電極２７により、薄膜トランジスタ２８が形成されている。
【００１９】
また、ゲート絶縁膜２４、シリコン層２５、ソース電極２６およびドレイン電極２７の
表面を覆うように、パッシベーション膜２９が形成されている。また、パッシベーション
膜２９の光反射領域に対応する表面には、層間絶縁膜（散乱膜）３０が形成されている。
また、層間絶縁膜３０の表面上には、Ａｌからなる反射膜３１が形成されている。また、
パッシベーション膜２９、層間絶縁膜３０および反射膜３１にコンタクトホールＣＴを設
ける。そして、パッシベーション膜２９、層間膜３０および反射膜３１の表面を覆うよう
に画素電極３２を形成する。このとき画素電極３２は、薄膜トランジスタ２８を形成して
いるドレイン電極２７とコンタクトホールＣＴを介して電気的に導通させる。なお、画素
電極３２に使用する材料はＩＺＯ（Ｉｎｄｉｕｍ  Ｚｉｎｃ  Ｏｘｉｄｅ）またはＩＴＯ
（Ｉｎｄｉｕｍ  Ｔｉｎ  Ｏｘｉｄｅ）等の透明導電性材料を用いるのが好ましい。
【００２０】
また、画素２０は、図示しないバックライトの光が透過する光透過領域と、画素２０に
入射する光が反射される光反射領域とを含んでおり、光反射領域における層間絶縁膜３０
の表面には凹凸３０ａが設けられている。この層間絶縁膜３０の凹凸３０ａ上に形成され
る反射膜３１および画素電極３２は、層間絶縁膜３０の凹凸３０ａの形状を反映して凹凸
状に形成されている。この凹凸状の反射膜３１により光が散乱されるように構成されてい
る。
【００２１】
また、ガラス基板２１と対向するように、ガラス基板４１が配置されており、ガラス基
板４１の表面上には、隣接する画素２０の間から光が漏れるのを抑制するための遮光膜４
２が形成されている。遮光膜４２には、例えばブラックマトリクスなどの遮光部材を使用
する。
【００２２】
ここで、第１実施形態では、表示部２に表示される文字部（図４参照）に対応する画素
２０のガラス基板４１の表面上および遮光膜４２の表面の一部上には、光透過領域に配置
されるカラーフィルタ４３ａと、光反射領域に配置される複数の色のカラーフィルタ４３
ｂおよび４３ｃとが設けられている。なお、カラーフィルタ４３ｂおよび４３ｃは、本発
明の「カラーフィルタ部分」の一例である。なお、第１実施形態では、複数の色のカラー
フィルタ４３ｂおよび４３ｃは、図２に示すように、サブピクセル２０ａごとに同じ複数
の色のカラーフィルタが設けられている。
【００２３】
また、図２に示すように、画素２０の３つのサブピクセル２０ａの光透過領域に形成さ
れるカラーフィルタ４３ａの色は、赤（Ｒ）、緑（Ｇ）および青（Ｂ）の３色である。ま
た、３つのサブピクセル２０ａの光反射領域には、赤（Ｒ）のカラーフィルタ４３ｂおよ
び青（Ｂ）のカラーフィルタ４３ｃが設けられている。なお、図２では、光反射領域に赤
（Ｒ）のカラーフィルタ４３ｂおよび青（Ｂ）のカラーフィルタ４３ｃが設けられる例を
示しているが、第１実施形態では、光反射領域に設けられるカラーフィルタ４３ｂおよび
４３ｃは、表示される文字の色に応じて、赤（Ｒ）、緑（Ｇ）および青（Ｂ）のうち、異
なる２つ以上の色のカラーフィルタ４３ｂおよび４３ｃが設けられるように構成されてい
る。また、光反射領域の赤（Ｒ）のカラーフィルタ４３ｂおよび青（Ｂ）のカラーフィル
タ４３ｃの平面的な形状は、矩形状である。なお、光反射領域の赤（Ｒ）のカラーフィル
タ４３ｂおよび青（Ｂ）のカラーフィルタ４３ｃの平面的な形状は、矩形状以外のたとえ
ば円形でもよい。また、第１実施形態では、光透過領域を平面から見た場合の面積は、光
反射領域を平面から見た場合の面積よりも大きくなるように構成されており、光透過領域
を平面から見た場合の面積は、表示部２に配置される全ての画素２０のサブピクセル２０
ａにおいて等しくなるように構成されている。なお、背景部に対応する画素２０のサブピ
クセル２０ａの光反射領域には、カラーフィルタは設けられない。
【００２４】
また、図３に示すように、画素２０の光反射領域と、薄膜トランジスタ２８が形成され
る領域とに対向するカラーフィルタ４３ａ〜４３ｃおよび遮光膜４２の表面上には、光反
射領域における後述する液晶層５１の厚みを調節するための厚み調整膜４４が形成されて
いる。また、カラーフィルタ４３ａ、４３ｂおよび厚み調整膜４４の表面を覆うように、
画素電極４５が形成されている。また、画素電極３２と、画素電極４５との間には、液晶
層５１が形成されている。また、走査線５に電圧が印加されない際に、液晶層５１に電圧
を印加するための蓄積容量５２（図１参照）が、ドレイン電極２７と画素電極３２との間
に形成されている。
【００２５】
次に、図１〜図４を参照して、本発明の第１実施形態による表示装置の表示部２の動作
について説明する。
【００２６】
まず、表示部２が駆動状態であるときには、図２に示す画素２０の光透過領域から、図
示しないバックライトの光が透過することにより、光透過領域に設けられるカラーフィル
タ４３ａの色が表示部２に表示される。
【００２７】
次に、表示部２が非駆動状態であるときには、図２に示す画素２０の光反射領域に入射
した光が、反射膜３１（図３参照）によって反射される。このとき、光反射領域には、赤
（Ｒ）のカラーフィルタ４３ｂおよび青（Ｂ）のカラーフィルタ４３ｃが設けられており
、光反射領域から反射される光は混色され、ピンク色となる。たとえば、図４に示す「Ａ
」の文字が表示される領域の画素２０の光反射領域に、図２に示す赤（Ｒ）のカラーフィ
ルタ４３ｂおよび青（Ｂ）のカラーフィルタ４３ｃが設けられることによって、ピンク色
の「Ｂ」の文字が表示部２に表示される。同様に、「Ｂ」の文字が配置される領域の画素
２０の光反射領域に、緑（Ｇ）のカラーフィルタ４３ｂおよび青（Ｂ）のカラーフィルタ
４３ｃが設けられることによって、表示部２に水色の「Ｂ」の文字が表示される。「Ｃ」
、「Ｄ」および「Ｅ」の文字も同様に、カラーフィルタ４３ｂおよびカラーフィルタ４３
ｃの色を選択することによって、それぞれ、紫色、黄色およびオレンジ色の文字が表示さ
れる。なお、カラーフィルタ４３ｂおよび４３ｃに同じ色のカラーフィルタ４３ｂおよび
４３ｃが用いられた場合には、単一の色の模様や文字が表示される。なお、背景部に対応
する画素２０のサブピクセル２０ａの光反射領域にはカラーフィルタが設けられないこと
により、背景部には反射板３１から反射された光の色が表示される。
【００２８】
第１実施形態では、上記のように、画素２０の光反射領域が、複数の色のカラーフィル
タ４３ｂおよび４３ｃを含むことによって、表示部２が非駆動状態のときに、光反射領域
から反射される光が複数の色のカラーフィルタ４３ｂおよび４３ｃにより混色するので、
複数の色のカラーフィルタ４３ｂおよび４３ｃの色の組み合わせを変えることにより、表
示部２に表示される文字に複数の色を表示することができる。
【００２９】
また、第１実施形態では、上記のように、複数の色のカラーフィルタ４３ｂおよび４３
ｃを、表示部２に表示される文字に対応するサブピクセル２０ａの光反射領域に設けるこ
とによって、サブピクセル２０ａごとにカラーフィルタ４３ｂおよび４３ｃの色を混色す
ることができるので、複数のサブピクセル２０ａ間で混色する場合と異なり、混色部分の
解像度を高くすることができる。
【００３０】
また、第１実施形態では、上記のように、光反射領域に設けられる２つのカラーフィル
タ４３ｂおよび４３ｃが、赤（Ｒ）、緑（Ｇ）および青（Ｂ）のうちの２つ以上の色を含
むように構成することによって、赤（Ｒ）、緑（Ｇ）および青（Ｂ）のカラーフィルタを
組み合わせることができるので、加法混色により様々な色を表示部２に表示することがで
きる。
【００３１】
また、第１実施形態では、上記のように、表示部２に配置される複数の画素２０の各々
の光反射領域と光透過領域とを平面的に見た場合、光透過領域の面積を、光反射領域の面
積よりも大きくなるように構成することによって、光透過領域の面積が光反射領域の面積
よりも小さい場合と異なり、表示部２が駆動状態のときに、表示部２に表示される模様や
文字を明るく表示することができる。
【００３２】
また、第１実施形態では、上記のように、表示部２に配置される複数の画素２０の各々
に含まれる光透過領域を平面的に見た場合、複数の画素２０の光透過領域の面積は、互い
に略等しくなるように構成することによって、画素２０の光透過領域から透過する光の量
が略等しくなるので、画素２０ごとに明るさが異なるのを抑制することができる。
【００３３】
（第２実施形態）
図５は、本発明の第２実施形態による画素の平面図である。図６は、図５の画素（ｃ）
の２００−２００線に沿った断面図である。図７は、本発明の第２実施形態による表示部
に模様が表示された状態を示す図である。次に、図５〜図７を参照して、この第２実施形
態では、上記第１実施形態と異なり、表示される模様の色がグラデーションになっている
表示装置について説明する。
【００３４】
第２実施形態による表示装置は、図５（ａ）〜（ｄ）に示すように、光反射領域に設け
られるカラーフィルタ４３ｄ〜４３ｉの面積が、表示部２が非駆動状態のときに表示され
る色の濃淡により異なるように構成されている。具体的には、図５（ａ）に示すように、
表示部２の淡い色が表示される領域に対応する画素２０の光反射領域には、カラーフィル
タが設けられていない。また、図５（ｂ）に示すように、サブピクセル２０ａの光反射領
域には、部分的に赤（Ｒ）のカラーフィルタ４３ｄおよび青（Ｂ）のカラーフィルタ４３
ｅが設けられている。なお、カラーフィルタ４３ｄおよび４３ｅは、本発明の「カラーフ
ィルタ部分」の一例である。ここで、第２実施形態では、画素２０ａの光反射領域には、
カラーフィルタ４３ｄおよび４３ｅが設けられない領域が含まれている。また、図５（ｃ
）に示すように、サブピクセル２０ａの光反射領域には、部分的に、図５（ｂ）に示すカ
ラーフィルタ４３ｄおよび４３ｅよりも大きい、赤（Ｒ）のカラーフィルタ４３ｆおよび
青（Ｂ）のカラーフィルタ４３ｇが設けられている。なお、カラーフィルタ４３ｆおよび
４３ｇは、本発明の「カラーフィルタ部分」の一例である。ここで、第２実施形態では、
図５および図６に示すように、光反射領域には、赤（Ｒ）のカラーフィルタ４３ｆおよび
青（Ｂ）のカラーフィルタ４３ｇが設けられている領域と設けられない領域とが含まれて
いる。
【００３５】
また、図５（ｄ）に示すように、サブピクセル２０ａの光反射領域には、全面的に、図
５（ｂ）および図５（ｃ）に示すカラーフィルタ４３ｄ〜４３ｇよりも大きい、赤（Ｒ）
のカラーフィルタ４３ｈおよび青（Ｂ）のカラーフィルタ４３ｉが設けられている。なお
、カラーフィルタ４３ｈおよび４３ｉは、本発明の「カラーフィルタ部分」の一例である
。
【００３６】
このように、第２実施形態では、光反射領域に設けられるカラーフィルタ４３ｄ〜４３
ｉの面積が、画素２０によって異なるように構成されている。具体的には、光反射領域に
設けられる赤（Ｒ）のカラーフィルタ４３ｄ、４３ｆおよび４３ｈと、青（Ｂ）のカラー
フィルタ４３ｅ、４３ｇおよび４３ｉとの面積を、図５（ｂ）〜図５（ｄ）に示すように
、表示部２に表示される模様（図７参照）の色が淡い領域から濃い領域に向かって、画素
２０によって徐々に変化させるように構成している。
【００３７】
なお、第２実施形態のその他の構成は、上記第１実施形態と同様である。
【００３８】
次に、図５〜図７を参照して、本発明の第２実施形態による表示装置の表示部２の非駆
動時の動作について説明する。
【００３９】
表示部２が非駆動状態であるときには、図５に示す画素２０のサブピクセル２０ａの光
反射領域に入射した光が、反射膜３１（図６参照）によって反射される。このとき、図７
に示す表示部２に表示される模様の色が淡い領域から濃い領域に向かって（花びらの模様
の中心部から端部に向かって）、光反射領域に設けられる赤（Ｒ）のカラーフィルタ４３
ｄ、４３ｆおよび４３ｈと、青（Ｂ）のカラーフィルタ４３ｅ、４３ｇおよび４３ｉの面
積とが、図５（ｂ）〜図５（ｄ）に示すように画素２０によって徐々に変化するように構
成されている。これにより、赤（Ｒ）のカラーフィルタ４３ｄ、４３ｆおよび４３ｈと、
青（Ｂ）のカラーフィルタ４３ｅ、４３ｇおよび４３ｉとの間で、それぞれ、混色による
色が表示されるとともに、表示部２に表示される模様の色がグラデーションになる。なお
、サブピクセル２０ａの光反射領域のカラーフィルタ４３ｄ〜４３ｉの色の組み合わせを
異ならせることにより、様々な色が表示され、サブピクセル２０ａの光反射領域のカラー
フィルタ４３ｄ〜４３ｉの面積を異ならせることにより、表示される色の濃淡が変化する
。
【００４０】
第２実施形態では、上記のように、光反射領域に設けられる複数の色のカラーフィルタ
４３ｄ〜４３ｉは、複数の色のカラーフィルタ４３ｄ〜４３ｉのそれぞれの面積を複数の
画素２０で異ならせることにより、複数の画素２０に表示される色に濃淡差を持たせるよ
うに構成することによって、模様の色に変化を持たせることができる。
【００４１】
また、第２実施形態では、上記のように、模様に対応する画素２０の光反射領域に設け
られる複数の色のカラーフィルタ４３ｄ〜４３ｉの面積を、複数の画素２０ごとに徐々に
変化させることにより、複数の画素２０に表示される色の濃淡が滑らかに変化するように
構成することによって、複数の画素２０間に表示される色がグラデーションになるので、
模様の色をグラデーションにすることができる。
【００４２】
また、第２実施形態では、上記のように、光反射領域を平面的に見た場合、光反射領域
には、カラーフィルタが設けられない領域が含まれることによって、光反射領域の全面が
カラーフィルタ４３ｈおよび４３ｉによって覆われている場合（図５（ｄ）参照）と異な
り、光反射領域からの反射光の量が多くなるので、表示部２が非駆動状態のときに、画素
２０に表示される色が暗くなるのを抑制することができる。
【００４３】
（第３実施形態）
図８は、本発明の第３実施形態による画素の平面図である。図９は、本発明の第３実施
形態による表示部に文字が表示された状態を示す図である。次に、図８および図９を参照
して、この第３実施形態では、上記第１実施形態と異なり、立体的な文字が表示部に表示
される表示装置について説明する。
【００４４】
第３実施形態による表示装置の表示部２は、図９に示すように、文字「Ａ」が表示され
る文字部と、文字「Ａ」が表示される領域に隣接するように設けられ、文字「Ａ」の影が
表示される影部１および影部２とが含まれている。なお、文字部、影部１および影部２以
外の背景部の色は、青（Ｂ）であると仮定する。ここで、第３実施形態では、図９の文字
部に対応する画素２０は、図８（ａ）に示すように、サブピクセル２０ａの光反射領域に
、赤（Ｒ）のカラーフィルタ４３ｊ、緑（Ｇ）のカラーフィルタ４３ｋおよび青（Ｂ）の
カラーフィルタ４３ｌが隣接するように設けられている。なお、カラーフィルタ４３ｊ、
４３ｋおよび４３ｌは、それぞれ、本発明の「カラーフィルタ部分」の一例である。
【００４５】
また、第３実施形態では、図９の影部１に対応する画素２０は、図８（ｂ）に示すよう
に、サブピクセル２０ａの光反射領域に、赤（Ｒ）のカラーフィルタ４３ｊ、緑（Ｇ）の
カラーフィルタ４３ｋおよび青（Ｂ）のカラーフィルタ４３ｌが隣接するように設けられ
ているとともに、赤（Ｒ）、緑（Ｇ）および青（Ｂ）のカラーフィルタが積層されたカラ
ーフィルタ４３ｍ（図中黒色で図示した部分）が設けられている。また、第３実施形態で
は、図９の影部２に対応する画素２０は、図８（ｃ）に示すように、サブピクセル２０ａ
の光反射領域に、赤（Ｒ）、緑（Ｇ）および青（Ｂ）のカラーフィルタが積層されたカラ
ーフィルタ４３ｎ（図中黒色で図示した部分）が設けられている。なお、カラーフィルタ
４３ｍおよび４３ｎは、本発明の「カラーフィルタ部分」の一例である。
【００４６】
また、図９の背景部に対応する画素２０は、図８（ｄ）に示すように、サブピクセル２
０ａの光反射領域に、青（Ｂ）のカラーフィルタ４３ｏが部分的に設けられている。
【００４７】
なお、第３実施形態のその他の構成は、上記第１実施形態と同様である。
【００４８】
次に、図５〜図７を参照して、本発明の第３実施形態による表示装置の表示部２の非駆
動時の動作について説明する。
【００４９】
表示部２が非駆動状態であるときには、図８に示す画素２０のサブピクセル２０ａの光
反射領域に入射した光が、反射膜３１（図６参照）によって反射される。このとき、図９
に示す表示部２に表示される文字部に対応する画素２０では、図８（ａ）に示すように、
サブピクセル２０ａの光反射領域に、赤（Ｒ）のカラーフィルタ４３ｊ、緑（Ｇ）のカラ
ーフィルタ４３ｋおよび青（Ｂ）のカラーフィルタ４３ｌが隣接するように設けられてい
ることにより、赤（Ｒ）、緑（Ｇ）および青（Ｂ）が混色し、白色の文字が表示される。
【００５０】
また、表示部２に表示される影部１に対応する画素２０では、図８（ｂ）に示すように
、サブピクセル２０ａの光反射領域に、赤（Ｒ）のカラーフィルタ４３ｊ、緑（Ｇ）のカ
ラーフィルタ４３ｋおよび青（Ｂ）のカラーフィルタ４３ｌが隣接するように設けられて
いることにより、赤（Ｒ）、緑（Ｇ）および青（Ｂ）が混色し、白色が表示される。また
、サブピクセル２０ａの光反射領域に、赤（Ｒ）、緑（Ｇ）および青（Ｂ）のカラーフィ
ルタが積層されたカラーフィルタ４３ｍが設けられていることにより、黒色も表示される
。この白色と黒色とが混色することにより、灰色の影部１が表示される。
【００５１】
また、表示部２に表示される影部２に対応する画素２０では、図８（ｃ）に示すように
、サブピクセル２０ａの光反射領域に、赤（Ｒ）、緑（Ｇ）および青（Ｂ）のカラーフィ
ルタが積層されたカラーフィルタ４３ｎが設けられていることにより、黒色の影部２が表
示される。
【００５２】
また、表示部２に表示される背景部に対応する画素２０では、図８（ｄ）に示すように
、サブピクセル２０ａの光反射領域に、青（Ｂ）のカラーフィルタ４３ｏが部分的に設け
られていることにより、青色の背景部が表示される。
【００５３】
このように、青の背景部、白色の文字部、灰色の影部１および黒色の影部２により、立
体的な文字「Ａ」が表示部２に表示される。
【００５４】
第３実施形態では、上記のように、光反射領域内に複数の色のカラーフィルタ４３ｊ〜
４３ｌが隣接するように配置される画素２０と、光反射領域に赤（Ｒ）、緑（Ｇ）および
青（Ｂ）のカラーフィルタが積層されたカラーフィルタ４３ｍおよび４３ｎが設けられる
画素２０とを用いて、表示部２に、文字部と影部とを表示するように構成することによっ
て、文字部に隣接するように影部を表示することにより、文字部を浮き上がったように見
せることができるので、立体的な文字を表示部２に表示することができる。
【００５５】
（第４実施形態）
図１０は、本発明の第４実施形態による画素の平面図である。図１１は、本発明の第４
実施形態による表示部に文字が表示された状態を示す図である。次に、図１０および図１
１を参照して、この第４実施形態では、上記第１実施形態と異なり、影部を有する文字が
表示部に表示される表示装置について説明する。
【００５６】
第４実施形態による表示装置の表示部２には、図１１に示すように、混色により作られ
るピンク、水色、紫および黄色からなる「Ａ」、「Ｂ」、「Ｃ」および「Ｄ」の文字部と
、単色の緑からなる「Ｅ」の文字部と、それぞれの文字部に隣接するように設けられる影
部と、背景部とが含まれている。なお、文字部、影部以外の背景部の色は、白色であると
仮定する。
【００５７】
図１１の混色により作られるピンク、水色、紫および黄色からなる「Ａ」、「Ｂ」、「
Ｃ」および「Ｄ」の文字部に対応する画素２０は、図１０（ａ）に示すように、サブピク
セル２０ａの光反射領域に、それぞれ、赤（Ｒ）、緑（Ｇ）および青（Ｂ）のうち、２つ
の色のカラーフィルタ４３ｐおよびカラーフィルタ４３ｑが設けられている。たとえば、
ピンクからなる「Ａ」の文字部では、赤（Ｒ）のカラーフィルタ４３ｐおよび青（Ｂ）の
カラーフィルタ４３ｑが設けられている。なお、カラーフィルタ４３ｐおよび４３ｑは、
本発明の「カラーフィルタ部分」の一例である。
【００５８】
また、単色の緑からなる「Ｅ」の文字部に対応する画素２０は、図１０（ｂ）に示すよ
うに、サブピクセル２０ａの光反射領域に、緑（Ｇ）のカラーフィルタ４３ｒが部分的に
設けられている。
【００５９】
また、影部に対応する画素２０は、図１０（ｃ）に示すように、サブピクセル２０ａの
光反射領域に、赤（Ｒ）、緑（Ｇ）および青（Ｂ）のカラーフィルタが積層されたカラー
フィルタ４３ｓが設けられている。なお、カラーフィルタ４３ｓは、本発明の「カラーフ
ィルタ部分」の一例である。
【００６０】
また、背景部に対応する画素２０は、図１０（ｄ）に示すように、サブピクセル２０ａ
の光反射領域に、赤（Ｒ）のカラーフィルタ４３ｔ、緑（Ｇ）のカラーフィルタ４３ｕお
よび青（Ｂ）のカラーフィルタ４３ｖが部分的に設けられている。
【００６１】
第４実施形態のその他の構成は、上記第１実施形態と同様である。
【００６２】
次に、図１０および図１１を参照して、本発明の第４実施形態による表示装置の表示部
２の非駆動時の動作について説明する。
【００６３】
表示部２が非駆動状態であるときには、図１０に示す画素２０のサブピクセル２０ａの
光反射領域に入射した光が、反射膜３１（図６参照）によって反射される。このとき、図
１１に示す表示部２に表示される「Ａ」、「Ｂ」、「Ｃ」および「Ｄ」の文字部では、サ
ブピクセル２０ａの光反射領域に、赤（Ｒ）、緑（Ｇ）および青（Ｂ）のうち、２つの色
のカラーフィルタ４３ｐおよびカラーフィルタ４３ｑが設けられていることにより、たと
えば、ピンク、水色、紫および黄色の「Ａ」、「Ｂ」、「Ｃ」および「Ｄ」の文字が表示
される。
【００６４】
また、図１１に示す表示部２に表示される「Ｅ」の文字部では、サブピクセル２０ａの
光反射領域に、緑（Ｇ）のカラーフィルタ４３ｒが設けられていることにより、緑の「Ｅ
」の文字が表示される。
【００６５】
また、表示部２に表示される影部では、赤（Ｒ）、緑（Ｇ）および青（Ｂ）のカラーフ
ィルタが積層されたカラーフィルタ４３ｓが設けられていることにより、黒色が表示され
る。
【００６６】
また、表示部２に表示される背景部では、サブピクセル２０ａの光反射領域に、赤（Ｒ
）のカラーフィルタ４３ｔ、緑（Ｇ）のカラーフィルタ４３ｕおよび青（Ｂ）のカラーフ
ィルタ４３ｖが部分的に設けられていることにより、白色の背景部が表示される。
【００６７】
このように、文字部に隣接するように影部が設けられ、影つき文字「Ａ」、「Ｂ」、「
Ｃ」、「Ｄ」および「Ｅ」が表示される。
【００６８】
なお、第４実施形態の効果は、上記第１および第３実施形態と同様である。
【００６９】
なお、今回開示された実施形態は、すべての点で例示であって制限的なものではないと
考えられるべきである。本発明の範囲は、上記した実施形態の説明ではなく特許請求の範
囲によって示され、さらに特許請求の範囲と均等の意味および範囲内でのすべての変更が
含まれる。
【００７０】
たとえば、上記第１〜第４実施形態では、光反射領域に設けられる複数のカラーフィル
タの色として、赤（Ｒ）、緑（Ｇ）および青（Ｂ）のいずれかを用いる例を示したが、本
発明はこれに限らず、図１２に示す第１変形例のように、光反射領域に設けられる複数の
カラーフィルタの色として、シアン（Ｃ）、マゼンダ（Ｍ）およびイエロー（Ｙ）、また
はホワイト、ブラックなど、を用いてもよい。これにより、シアン（Ｃ）、マゼンダ（Ｍ
）およびイエロー（Ｙ）、ホワイト、ブラックのカラーフィルタを組み合わせることがで
きるので、減法混色により様々な色を表示部に表示することができる。
【００７１】
また、上記第２実施形態では、表示部に表示される模様の色がグラデーションである例
を示したが、本発明はこれに限らず、表示部にグラデーションの色を有する文字を表示し
てもよい。
【００７２】
また、上記第３および第４実施形態では、表示部に影部を有する文字を表示する例を示
したが、本発明はこれに限らず、表示部に影部を有する模様を表示してもよい。
【００７３】
また、上記第１〜第４実施形態では、サブピクセルの光反射領域に、複数の色のカラー
フィルタを設けることにより、サブピクセル内で色を混色する例を示したが、本発明はこ
れに限らず、図１３に示す第２変形例のように、画素の３つのサブピクセルのそれぞれの
光反射領域に、１つの色のカラーフィルタを設け、３つのサブピクセル間で色を混色する
ようにしてもよい。
【００７４】
また、上記第１〜第４実施形態では、模様または文字に対応する画素のサブピクセルの
光反射領域に、複数の色のカラーフィルタを設ける例を示したが、本発明はこれに限らず
、背景に対応する画素のサブピクセルの光反射領域に、複数の色のカラーフィルタを設け
てもよい。
【図面の簡単な説明】
【００７５】
【図１】本発明の第１実施形態による表示装置の平面図である。
【図２】本発明の第１実施形態による画素の平面図である。
【図３】図２の１００−１００線に沿った断面図である。
【図４】本発明の第１実施形態による表示部に文字が表示された状態を示す図である。
【図５】本発明の第２実施形態による画素の平面図である。
【図６】図５の画素（ｃ）の２００−２００線に沿った断面図である。
【図７】本発明の第２実施形態による表示部に模様が表示された状態を示す図である。
【図８】本発明の第３実施形態による画素の平面図である。
【図９】本発明の第３実施形態による表示部に文字が表示された状態を示す図である。
【図１０】本発明の第４実施形態による画素の平面図である。
【図１１】本発明の第４実施形態による表示部に文字が表示された状態を示す図である。
【図１２】本発明の第１〜第４実施形態の第１変形例による画素の平面図である。
【図１３】本発明の第１〜第４実施形態の第２変形例による画素の平面図である。
【符号の説明】
【００７６】
２  表示部
２０  画素
４３ａ  カラーフィルタ
４３ｂ、４３ｃ、４３ｄ、４３ｅ、４３ｆ、４３ｇ、４３ｈ、４３ｉ、４３ｊ、４３ｋ
、４３ｌ、４３ｍ、４３ｎ、４３ｐ、４３ｑ、４３ｓ  カラーフィルタ（カラーフィルタ
部分）
【図１】
2009128467.tif 000003
【図２】
2009128467.tif 000004
【図３】
2009128467.tif 000005
【図４】
2009128467.tif 000006
【図５】
2009128467.tif 000007
【図６】
2009128467.tif 000008
【図７】
2009128467.tif 000009
【図８】
2009128467.tif 000010
【図９】
2009128467.tif 000011
【図１０】
2009128467.tif 000012
【図１１】
2009128467.tif 000013
【図１２】
2009128467.tif 000014
【図１３】
2009128467.tif 000015